(57)【要約】  【課題】従来の携帯電話をカード代わりに利用する決済方法においては、携帯電話にサインがないため、サインを比較することによる本人確認ができない。  【解決手段】携帯情報端末は、決済カード情報および識別情報を記憶する記憶部と、記憶部に記憶されている決済カード情報および識別情報を決済端末に送信する通信部とを備え、前記決済サーバは、個人情報を識別情報に対応付けて記憶する記憶部と、識別情報を受信し、この識別情報に基づいて検索した個人情報を送信する通信部とを備え、前記決済端末は、前記携帯情報端末から決済カード情報識別情報を受信する通信部と、決済サーバに識別情報を送信し決済サーバから個人情報を受信する通信部と、決済サーバから受信した個人情報を出力する出力部とを備え、前記決済端末の出力部により出力された個人情報に基づいて決済者の確認を行う。【選択図】  図１
2005251056.tif 000002
【特許請求の範囲】
【請求項１】
携帯情報端末と決済サーバと決済端末とからなる決済システムであって、前記携帯情報端末は、決済カード情報およびこの携帯情報端末の識別情報を記憶する記憶部と、前記記憶部に記憶されている前記決済カード情報および前記携帯情報端末の識別情報を前記決済端末に送信する通信部とを備え、前記決済サーバは、決済者の個人情報を前記携帯情報端末の識別情報に対応付けて記憶する記憶部と、前記決済端末から前記携帯情報端末の識別情報を受信し、この識別情報に基づいて検索した個人情報を前記カード端末に送信する通信部とを備え、前記決済端末は、前記携帯情報端末から決済カード情報および前記携帯情報端末の識別情報を受信する第１の通信部と、前記決済サーバに前記識別情報を送信し前記決済サーバから個人情報を受信する第２の通信部と、前記決済サーバから受信した個人情報を出力する出力部とを備え、前記決済端末の出力部により出力された個人情報に基づいて決済者の確認を行う決済システム。
【請求項２】
決済端末は決済端末本体と前記決済端末本体と通信を行う暗証番号入力部とからなり、前記決済端末本体は決済サーバから受信した個人情報を出力する出力部を有し、かつ、前記決済端末本体は店員側に配置される請求項１記載の決済システム。
【請求項３】
出力部は画面表示を行う表示部および／または文字の印字を行う印字部である請求項１または２記載の決済システム。
【請求項４】
携帯情報端末は携帯電話であり、携帯情報端末の識別情報は携帯電話の電話番号である請求項１から３のいずれか１項に記載の決済システム。
【請求項５】
決済端末の出力部により出力される個人情報は決済者のサインデータである請求項１から４のいずれか１項に記載の決済システム。
【請求項６】
携帯情報端末から決済カード情報およびこの携帯情報端末の識別情報を受信する第１の受信部と、決済者の個人情報を携帯情報端末の識別情報に対応付けて記憶している決済サーバに前記携帯情報端末から受信した前記識別情報を送信し、前記決済サーバが前記識別情報に基づいて検索した個人情報を前記決済サーバから受信する第２の通信部と、前記決済サーバから受信した前記個人情報を出力する出力部とからなる決済端末。
【請求項７】
決済端末は決済端末本体と前記決済端末本体と通信を行う暗証番号入力部とからなり、前記決済端末本体は決済サーバから受信した個人情報を出力する出力部を有し、かつ、前記決済端末本体は店員側に配置される請求項６記載の決済端末。
【請求項８】
出力部は画面表示を行う表示部および／または文字の印字を行う印字部である請求項６または７記載の決済端末。
【請求項９】
携帯情報端末は携帯電話であり、携帯情報端末の識別情報は携帯電話の電話番号である請求項６から８のいずれか１項に記載の決済端末。
【請求項１０】
決済端末の出力部により出力される個人情報は決済者のサインデータである請求項６から９のいずれか１項に記載の決済端末。
【請求項１１】
決済サーバに決済者の個人情報を携帯情報端末の識別情報に対応付けて記憶するステップと、前記携帯情報端末に決済カード情報およびこの携帯情報端末の識別情報を記憶するステップと、前記携帯情報端末から決済端末に前記決済カード情報および前記携帯情報端末の識別情報を送信するステップと、前記決済端末から前記決済サーバに前記携帯情報端末から受信した前記携帯情報端末の識別情報を送信するステップと、前記決済サーバにおいて前記決済端末から受信した前記識別情報に基づいて検索した個人情報を前記決済サーバから前記決済端末に送信するステップと、前記決済サーバから受信した前記個人情報を前記決済端末の出力部に出力するステップとからなる決済確認方法。
【請求項１２】
決済端末の出力部に出力される個人情報は決済者のサインデータである請求項１１記載の決済確認方法。
【発明の詳細な説明】
【技術分野】
【０００１】
本発明は決済システムおよび決済端末および決済確認方法に関するものである。
【背景技術】
【０００２】
近年、クレジットカード、デビットカードの普及に伴い、決済端末が店舗で設置されている。決済端末は、クレジットカードやデビットカードなどの決済カードを用いて取引を行うときに、その決済カードを用いて取引が可能か否かを、電話回線等を用いた通信により、カード会社や銀行の決済サーバに確認し、決済処理を行うことを目的としたものである。
【０００３】
以下、従来のカード決済方法を図３を用いて説明する。３００は決済端末、３０１は表示部、３０２はキーボード、３０３はカードリーダー、３０４はプリンタ、３０５は通信回線、３１０は通信網、３２０はカード会社、３２１は決済サーバ、３３０は決済カードである。
【０００４】
店舗において、客が決済カードを用いた決済を希望するとき、店員は、客から決済カード３３０を預かり、決済カード３３０を決済端末３００のカードリーダー３０３に通し、決済カード情報（会員番号など）を読み込む。次に店員は支払い金額をキーボード３０２から入力し、読み込んだ決済カード情報および支払い金額情報を通信回線３０５を用いて、通信網３１０経由でカード会社３２０内の決済サーバ３２１に送信する。
【０００５】
決済サーバ３２１は送信された決済カード情報および支払い金額情報より取引の可否を判断し、取引可否結果情報を通信網３１０経由で決済端末３００に返信する。決済端末は取引可否結果情報を表示機３０１に表示するとともに、取引が可能な場合にはプリンタ３０４を用いて、取引伝票を印字する。店員は印字された取引伝票上に客のサインをもらう。客の決済カード３３０の裏面には決済カードの持ち主のサインがしてあり、店員は取引伝票上のサインと決済カード３３０の裏面のサインを比較することにより、客が決済カードの持ち主本人であることを確認できる。
また最近、携帯電話の普及により、携帯電話は一般的に持ち運ばれる携帯情報端末の代表的存在となっている。そのため、携帯電話のメモリ上に会員番号等の決済カード情報を記憶することにより、携帯電話を決済カード代わりに利用する決済方法が運用され始めている。
【０００６】
携帯電話をカード代わりに利用する決済方法を図４を用いて説明する。
４００は決済端末、４０１は表示部、４０２はキーボード、４０３は無線通信部、４０４はプリンタ４０５は通信回線、４１０は通信網、４２０はカード会社、４２１は決済サーバ、４３０は携帯電話、４３１は記憶部、４３２は無線通信部、４４０は携帯電話通信網である。
【０００７】
携帯電話の持ち主は、携帯携帯を決済カード代わりに使用するための事前準備として、あらかじめ携帯電話４３０を、カード会社４２０の決済サーバ４２１と携帯電話通信網４４０経由で接続し、決済サーバ４２１より自分の決済カード情報（会員番号など）をダウンロードすることにより決済カード情報を取得し、記憶部４３１に記憶しておく。
【０００８】
以上の事前準備ののち、決済を行うとき、客（携帯電話の持ち主）は携帯電話４３０を操作し、無線通信部４３２から、記憶部４３１内の決済カード情報を決済端末４００の無
線通信部４０３に向けて送信する。決済端末４００は無線通信部４０３より、決済カード情報を受信する。次に店員は支払い金額をキーボード４０２から入力し、受信した決済カード情報および支払い金額情報を通信回線４０５を用いて、通信網４１０経由で情報処理センター４２０内の決済サーバ４２１に送信する。決済サーバ４２１は送信された決済カード情報および支払い金額情報より取引の可否を判断し、取引可否結果情報を通信網４１０経由で決済端末４００に返信する。
【０００９】
決済端末は取引可否結果情報を表示機４０１に表示するとともに、取引が可能な場合にはプリンタ４０４を用いて、取引伝票を印字する。店員は印字された取引伝票上に客のサインをもらう。ただしこのとき、決済カードを用いる決済方法と異なり、携帯電話には決済カード３３０の様に所有者のサインを記載する欄やそこに記載されたサインがないため、サインを比較することによる本人確認はできない。
また、特許文献１のように、使用者の特徴を特徴データとして取り込む特徴取り込み手段と、本人を特定可能な特徴を示す照合データが格納される記憶手段と、特徴取り込み手段から取り込まれた特徴データと記憶手段に格納されている照合データを比較照合する照合手段とから構成し、特徴取り込み手段から取り込まれた特徴データと記憶手段に格納されている照合データを比較照合することにより本人確認を行うものもある。
【特許文献１】特開２００１−３４４５４４公報
【発明の開示】
【発明が解決しようとする課題】
【００１０】
上記のように従来の携帯電話を決済カード代わりに利用する決済方法においては、決済カードを用いる決済方法と異なり、携帯電話にサインがないため、サインを比較することによる本人確認はできず、携帯電話を落とした場合などに持ち主以外の人間が携帯電話を用いて決済を行う恐れがあった。
【００１１】
また、特許文献１の方法では、使用者が持ち主本人である本人確認手段を提供できるが、特徴取り込み手段が携帯情報端末1台1台に必要であり、携帯情報端末のコストが上昇するという課題があった。
【００１２】
本発明は、携帯電話などの携帯情報端末を決済カード代わりに用いる決済方法において、携帯情報端末のコストを上昇させずに使用者が持ち主本人であることを確認する本人確認手段を提供することによって、安全性に優れた決済方法を提供することを目的とする。
【課題を解決するための手段】
【００１３】
この目的を達成するために本発明の第１の決済システムは、携帯情報端末と決済サーバと決済端末とからなり、前記携帯情報端末は、決済カード情報およびこの携帯情報端末の識別情報を記憶する記憶部と、前記記憶部に記憶されている前記決済カード情報および前記携帯情報端末の識別情報を前記決済端末に送信する通信部とを備え、前記決済サーバは、決済者の個人情報を前記携帯情報端末の識別情報に対応付けて記憶する記憶部と、前記決済端末から前記携帯情報端末の識別情報を受信し、この識別情報に基づいて検索した個人情報を前記決済端末に送信する通信部とを備え、前記決済端末は、前記携帯情報端末から決済カード情報および前記携帯情報端末の識別情報を受信する第１の通信部と、前記決済サーバに前記識別情報を送信し前記決済サーバから個人情報を受信する第２の通信部と、前記決済サーバから受信した個人情報を出力する出力部とを備え、前記決済端末の出力部により出力された個人情報に基づいて決済者の確認を行うものである。
【００１４】
このように構成することにより、携帯電話などの携帯情報端末を決済カード代わりに用いる決済方法において、携帯情報端末のコストを上昇させずに使用者が持ち主本人であることを確認する本人確認手段を提供することができ、安全性に優れた決済方法を提供できる。
【００１５】
この目的を達成するために本発明の第２の決済システムは、決済端末は決済端末本体と前記決済端末本体と通信を行う暗証番号入力部とからなり、前記決済端末本体は決済サーバから受信した個人情報を出力する出力部を有し、かつ、前記決済端末本体は店員側に配置されるものである。
【００１６】
このように構成することにより、携帯電話などの携帯情報端末を決済カード代わりに用いる決済方法において、携帯情報端末のコストを上昇させずに使用者が持ち主本人であることを確認する本人確認手段を提供することができ、安全性に優れた決済方法を提供できる。
【００１７】
この目的を達成するために本発明の第３の決済システムは決済端末の出力部により出力される個人情報は決済者のサインデータであるものである。
【００１８】
このように構成することにより、携帯電話などの携帯情報端末を決済カード代わりに用いる決済方法において、携帯情報端末のコストを上昇させずに使用者が持ち主本人であることを確認する本人確認手段を提供することができ、安全性に優れた決済方法を提供できる。
【００１９】
この目的を達成するために本発明の第４の決済端末は携帯情報端末から決済カード情報およびこの携帯情報端末の識別情報を受信する受信部と、決済者の個人情報を携帯情報端末の識別情報に対応付けて記憶している決済サーバに前記携帯情報端末から受信した前記識別情報を送信し、前記決済サーバが前記識別情報に基づいて検索した個人情報を前記決済サーバから受信する通信部と、前記決済サーバから受信した前記個人情報を出力する出力部とからなるものである。
【００２０】
このように構成することにより、携帯電話などの携帯情報端末を決済カード代わりに用いる決済方法において、携帯情報端末のコストを上昇させずに使用者が持ち主本人であることを確認する本人確認手段を提供することができ、安全性に優れた決済方法を提供できる。
【００２１】
この目的を達成するために本発明の第５の決済端末は、決済端末は決済端末本体と前記決済端末本体と通信を行う暗証番号入力部とからなり、前記決済端末本体は決済サーバから受信した個人情報を出力する出力部を有し、かつ、前記決済端末本体は店員側に配置されるものである。
【００２２】
このように構成することにより、携帯電話などの携帯情報端末を決済カード代わりに用いる決済方法において、携帯情報端末のコストを上昇させずに使用者が持ち主本人であることを確認する本人確認手段を提供することができ、安全性に優れた決済方法を提供できる。
【００２３】
この目的を達成するために本発明の第６の決済端末は、決済端末の出力部により出力される個人情報は決済者のサインデータであるものである。
【００２４】
このように構成することにより、携帯電話などの携帯情報端末を決済カード代わりに用いる決済方法において、携帯情報端末のコストを上昇させずに使用者が持ち主本人である
ことを確認する本人確認手段を提供することができ、安全性に優れた決済方法を提供できる。
【００２５】
この目的を達成するために本発明の第７の決済確認方法は、決済サーバに決済者の個人情報を携帯情報端末の識別情報に対応付けて記憶するステップと、前記携帯情報端末に決済カード情報およびこの携帯情報端末の識別情報を記憶するステップと、前記携帯情報端末から決済端末に前記決済カード情報および前記携帯情報端末の識別情報を送信するステップと、前記決済端末から前記決済サーバに前記携帯情報端末から受信した前記携帯情報端末の識別情報を送信するステップと、前記決済サーバにおいて前記決済端末から受信した前記識別情報に基づいて検索した個人情報を前記決済サーバから前記決済端末に送信するステップと、前記決済サーバから受信した前記個人情報を前記決済端末の出力部に出力するステップとからなるものである。
【００２６】
このように構成することにより、携帯電話などの携帯情報端末をカード決済代わりに用いる決済方法において、携帯情報端末のコストを上昇させずに使用者が持ち主本人であることを確認する本人確認手段を提供することができ、安全性に優れた決済方法を提供できる。
【００２７】
この目的を達成するために本発明の第８の決済確認方法は、決済端末の出力部に出力される個人情報は決済者のサインデータであるものである。
【００２８】
このように構成することにより、携帯電話などの携帯情報端末を決済カード代わりに用いる決済方法において、携帯情報端末のコストを上昇させずに使用者が持ち主本人であることを確認する本人確認手段を提供することができ、安全性に優れた決済方法を提供できる。
【発明の効果】
【００２９】
以上のように、本発明は、携帯電話などの携帯情報端末を決済カード代わりに用いる決済方法において、携帯情報端末のコストを上昇させずに使用者が持ち主本人であることを確認する本人確認手段を提供することができ、安全性に優れた決済方法を提供できる。
【発明を実施するための最良の形態】
【００３０】
以下、本発明を実施するための最良の形態について、図１および図２を用いて説明する。
【００３１】
（実施の形態１）
図１において、１００は決済端末、１０１は表示部、１０２はキーボード、１０３は無線通信部、１０４はプリンタ、１０５は通信回線、１１０は通信網、１２０はカード会社、１２１は決済サーバ、１２２は記憶部、１２３は入力部、１３０は携帯電話、１３１は記憶部、１３２は無線通信部、１４０は携帯電話通信網である。
【００３２】
このような構成を持つ決済システムにおいて、その動作を説明する。
携帯電話の持ち主は、携帯電話をカード代わりに使用するための事前準備として、あらかじめ携帯電話１３０を、カード会社１２０の決済サーバ１２１と携帯電話通信網１４０経由で接続し、決済サーバ１２１より自分の決済カード情報（会員番号など）をダウンロードすることによりカード情報を取得し、取得した決済カード情報および自身の電話番号情報を記憶部１３１に記憶しておく。
【００３３】
また、携帯電話の持ち主は自分の電話番号情報およびサイン（筆跡）を情報処理センター１２０に送付しておく。情報処理センター１２０では送付された電話番号情報およびサ
インデータを入力部１２３より入力し、それらを関連づけて記憶部１２２に格納しておく。
【００３４】
以上の事前準備のうち、決済を行うとき、客（携帯電話の持ち主）は携帯電話１３０を操作し、無線通信部１３２から、記憶部１３１内に登録してある決済カード情報および電話番号情報を決済端末１００の無線通信部１０３に向けて送信する。決済端末１００は無線通信部１０３より、決済カード情報および電話番号情報を受信する。次に店員は支払い金額をキーボード１０２から入力し、決済端末１００は受信した決済カード情報、電話番号情報および入力された支払い金額情報を通信回線１０５を用いて、通信網１１０経由でカード会社１２０内の決済サーバ１２１に送信する。決済サーバ１２１は送信された決済カード情報および支払い金額情報より取引の可否を判断する。取引が可能と判断した場合は、送信された電話番号情報より記憶部１２２に関連づけて格納されているサインデータを引き出す。そして、取引可否結果情報およびサインデータを通信網１１０経由で決済端末１００に返信する。決済端末は取引可否結果情報を表示機１０１に表示するとともに、取引が可能な場合にはプリンタ１０４を用いて、取引伝票を印字する。また、受信したサインデータを表示部１０１に表示する。（このとき、サインデータをプリンタ１０４を用いて取引伝票とは別に印字してもよい。）店員は印字された取引伝票上に客のサインをもらう。伝票上のサインと表示部１０１に表示されたサインデータ（あるいは別に印字されたサインデータ）を比較することにより、携帯電話の使用者が持ち主本人であるかの確認ができる。これにより、携帯電話の持ち主以外がその携帯電話を用いてカード取引を行うことを防止できる。
【００３５】
以上のように、本実施の形態によれば、携帯電話などの携帯情報端末を決済カード代わりに用いる決済方法において、使用者が持ち主本人であることを確認する本人確認手段を提供することができ、安全性に優れた決済方法を提供できる。ここで携帯電話１３０の記憶部１３１、無線通信部１３２は携帯電話の基本機能を実現するために携帯電話に標準的に装備されているものであり、本構成により携帯電話のコストを上昇させることはない。
【００３６】
なお、本例では決済端末におけるサインデータの出力部として決済端末の表示部およびプリンタを用いているが、決済端末に接続された別の表示装置や印字装置など、その他の出力部を用いても同様である。
【００３７】
また、本例は携帯電話および電話番号情報を用いているが、携帯電話以外の携帯情報端末を用い、電話番号情報の代わりに携帯情報端末の識別情報を用いた場合でも同様である。
また、本例では個人識別情報としてサインデータを用いたが、例えば顔写真データや全身写真データなど、その他の個人識別データでも同様の効果を得ることができる。
（実施の形態２）
実施の形態１では、決済端末１００の無線通信部１０３は決済端末１００に含まれる場合を示しているが、図２に示すように、決済端末は決済端末本体２００と、決済端末本体と通信を行う暗証番号入力部２５０から構成され、無線通信部２０３は暗証番号入力部２５０に含まれ、決済端末２００は店員側に、暗証番号入力部２５０は客側に向けて設置されるものもあるが、この場合も同様である。
【産業上の利用可能性】
【００３８】
本発明の決済システムおよび決済端末および確認方法は、携帯電話などの携帯情報端末を決済カード代わりに用いる決済方法において、携帯情報端末のコストを上昇させずに使用者が持ち主本人であることを確認する本人確認手段を提供することができ、安全性に優れた決済方法を提供できるので、産業上有用である。
【図面の簡単な説明】
【００３９】
【図１】本発明の決済システムおよび決済端末および決済確認方法の実施の形態１におけるシステム構成図
【図２】本発明の決済システムおよび決済端末および決済確認方法の実施の形態２におけるシステム構成図
【図３】従来のカード決済におけるシステム構成図
【図４】従来の携帯電話を決済カード代わりに用いる決済におけるシステム構成図
【符号の説明】
【００４０】
１００  ・・・  決済端末
１０１  ・・・  表示部
１０２  ・・・  キーボード
１０３  ・・・  無線通信部
１０４  ・・・  プリンタ
１０５  ・・・  通信回線
１１０  ・・・  通信網
１２０  ・・・  カード会社
１２１  ・・・  決済サーバ
１２２  ・・・  記憶部
１２３  ・・・  入力部
１３０  ・・・  携帯電話
１３１  ・・・  記憶部
１３２  ・・・  無線通信部
１４０  ・・・  携帯電話通信網
２００  ・・・  決済端末
２０１  ・・・  表示部
２０２  ・・・  キーボード
２０３  ・・・  無線通信部
２０４  ・・・  プリンタ
２０５  ・・・  通信回線
２１０  ・・・  通信網
２２０  ・・・  カード会社
２２１  ・・・  決済サーバ
２２２  ・・・  記憶部
２２３  ・・・  入力部
２３０  ・・・  携帯電話
２３１  ・・・  記憶部
２３２  ・・・  無線通信部
２４０  ・・・  携帯電話通信網
２５０  ・・・  暗証番号入力部
３００  ・・・  決済端末
３０１  ・・・  表示部
３０２  ・・・  キーボード
３０３  ・・・  カードリーダー
３０４  ・・・  プリンタ
３０５  ・・・  通信回線
３１０  ・・・  通信網
３２０  ・・・  カード会社
３２１  ・・・  決済サーバ
３３０  ・・・  決済カード
４００  ・・・  決済端末
４０１  ・・・  表示部
４０２  ・・・  キーボード
４０３  ・・・  無線通信部
４０４  ・・・  プリンタ
４０５  ・・・  通信回線
４１０  ・・・  通信網
４２０  ・・・  カード会社
４２１  ・・・  決済サーバ
４３０  ・・・  携帯電話
４３１  ・・・  記憶部
４３２  ・・・  無線通信部
４４０  ・・・  携帯電話通信網
【図１】
2005251056.tif 000003
【図２】
2005251056.tif 000004
【図３】
2005251056.tif 000005
【図４】
2005251056.tif 000006